(57)【要約】      （修正有）【課題】製造コストを抑えながら、耐火性能を有する防火サッシを提供する。【解決手段】左右の竪框２４の内周面に上下の横框の端面を突き合わせて四周に組んでなる障子を有し、竪框２４は、断面略矩形の中空部２４ｃを有し、中空部２４ｃを形成する室外側壁の室内側面に加熱発泡材ｆ４３が配置されており、加熱発泡材ｆ４３は、少なくとも竪框２４の端部近傍の所定範囲において、室外側壁の室内側面の見付幅全幅に渡って配置されている。【選択図】図４
2020176386.tif 000002
【特許請求の範囲】
【請求項１】
左右の竪框の内周面に上下の横框の端面を突き合わせて四周に組んでなる障子を有し、
竪框は、断面略矩形の中空部を有し、中空部を形成する室外側見付壁の室内側面に加熱発泡材が配置されており、
加熱発泡材は、少なくとも竪框の端部近傍の所定範囲において、室外側見付壁の室内側面の見付幅全幅に渡って配置されている防火サッシ。
【発明の詳細な説明】
【技術分野】
【０００１】
本発明は、建築物等の開口部に配置される防火サッシに関する。
【背景技術】
【０００２】
従来、建築物の開口部に配置されるサッシとして、断熱性を有するサッシが知られている。（特許文献１）。
【先行技術文献】
【特許文献】
【０００３】
【特許文献１】特開2004-324338号公報
【発明の概要】
【発明が解決しようとする課題】
【０００４】
近年、建築物等の開口部に配置されるサッシについて、火災時における防火性能が求められている。
【０００５】
本発明は、サッシにおいて、火災時に障子の竪框部分における室内外の連通を防止して、防火サッシの防火性能を向上させることを目的とする。
【課題を解決するための手段】
【０００６】
本発明の一実施形態は、左右の竪框の内周面に上下の横框の端面を突き合わせて四周に組んでなる障子を有し、竪框は、断面略矩形の中空部を有し、中空部を形成する室外側壁の室内側面に加熱発泡材が配置されており、加熱発泡材は、少なくとも竪框の端部近傍の所定範囲において、室外側壁の室内側面の見付幅全幅に渡って配置されている防火サッシである。
【発明の効果】
【０００７】
本実施形態の防火サッシの構成により、製造コストを抑えながら、耐火性能を有する防火サッシを提供することができる。
【図面の簡単な説明】
【０００８】
【図１】一実施形態に係るサッシの竪断面図の一例である。
【図２】一実施形態に係るサッシの横断面図の一例である。
【図３】一実施形態に係るサッシの上方角部の平面図の一例であり、（ａ）は、端部キャップを取り付けていない状態の平面図であり、（ｂ）は、端部キャップを取り付けた状態の平面図である。
【図４】一実施形態に係るサッシの上方角部の斜視図の一例であり、（ａ）は、端部キャップ及び加熱発泡材の竪框への取付を説明するためのサッシの上方角部の分解斜視図であり、（ｂ）は、端部キャップと加熱発泡材との関係を示した斜視図である。
【図５】一実施形態のサッシの上方角部の分解斜視図である。
【発明を実施するための形態】
【０００９】
本発明のひとつの実施形態である建物の開口部に配置される引違い窓について、図面を参考に説明する。
本実施形態の防火サッシは、図１、２に示すように、建物開口部に取り付けられる枠体１０と、枠体１０の内周に摺動自在に配置される内外障子２０，３０を備えている。
【００１０】
−枠体−
枠体１０は、上枠１１、下枠１２及び左、右竪枠１３，１４を四周に組んで形成されている。
（上枠）
上枠１１は、アルミ合金等の金属材料からなり、建物開口部の内周に配置される上枠本体１１１と、樹脂材料からなり、上枠本体１１１の室内側内周面に配置される樹脂上枠１１２を有している。
【００１１】
上枠本体１１１は、建物開口部を覆う見込壁１１１ａと、見込壁１１１ａの室内側端部に連続する室内側壁１１１ｂと、見込壁１１１ａの室外側端部に連続し上網戸レールとして使用される室外側壁１１１ｃと、見込壁１１１ａの室内側内周面から下方に延設される室内側上レール１１１ｄと、見込壁１１１ａの室外側内周面から下方に延設される室外側上レール１１１ｅを有している。
【００１２】
上枠本体１１１は、見込壁１１１ａの内周で室内側上レール１１１ｄと室外側上レール１１１ｅの間に樹脂カバー部材１１３が配置されており、見込壁１１１ａと樹脂カバー部材１１３との間に熱により発泡する加熱発泡材ｆ１が配置されている。
また、上枠本体１１１は、内、外障子２０，３０の召合部の上方位置に、風止め部材７１を有している。
【００１３】
樹脂上枠１１２は、上枠本体１１１の見込壁１１１ａの内周で、室内側壁１１１ｂと室内側上レール１１１ｄとの間に配置されており、見込壁１１１ａの内周に配置される樹脂見込壁１１２ａと、樹脂見込壁１１２ａの室内側端から下方に延設される室内側壁１１２ｂと、室内側上レール１１１ｄの室内側面を覆う樹脂室外側壁１１２ｃと、室内側壁１１２ｂの下端から室内側に延設されるアングル部１１２ｄを有している。
【００１４】
（下枠）
下枠１２は、アルミ合金等の金属材料からなり、建物開口部の内周に配置される下枠本体１２１と、樹脂材料からなり、下枠本体１２１の室内側内周面に配置される樹脂下枠１２２を有している。
【００１５】
下枠本体１２１は、中空部を有し建物開口部を覆う見込部１２１ａと、見込部１２１ａの室内側端部に連続する室内側壁１２１ｂと、見込部１２１ａの室外側端部に連続する下網戸レール１２１ｃと、見込部１２１ａの室内側内周面から上方に延設される室内側下レール１２１ｄと、見込部１２１ａの室外側内周面から上方に延設される室外側下レール１２１ｅを有している。
【００１６】
見込部１２１ａは、中空部の内部にスチール等の金属材料からなる補強部材が配置されており、補強部材には、熱によって発泡する熱膨張耐火材ｆ，ｆが下枠１２に設けられた排水孔に向かって発泡するように設けられている。
【００１７】
下枠本体１２１は、見込部１２１ａの内周で室内側下レール１２１ｄと室外側下レール１２１ｅの間に樹脂下カバー部材１２３が配置されており、樹脂下カバー部材１２３の下面に熱により発泡する加熱発泡材ｆ２が配置されている。
【００１８】
樹脂下枠１２２は、下枠本体１２１の見込部１２１ａの内周で、室内側壁１２１ｂと室内側下レール１２１ｄとの間に配置されており、見込部１２１ａの内周に配置される樹脂見込壁１２２ａと、樹脂見込壁１２２ａの室内側端から上方に延設される室内側壁１２２ｂと、室内側下レール１２１ｄの室内側面を覆う樹脂室外側壁１２２ｃと、室内側壁１２２ｂの上端から室内側に延設されるアングル部１２２ｄを有している。
【００１９】
（左竪枠）
左竪枠１３は、アルミ合金等の金属材料からなり、建物開口部の内周に配置される竪枠本体１３１と、樹脂材料からなり、右竪枠本体１３１の室内側内周面に配置される樹脂左竪枠１３２を有している。
【００２０】
左竪枠本体１３１は、建物開口部を覆う見込壁１３１ａと、見込壁１３１ａの室内側端部に連続する室内側壁１３１ｂと、見込壁１３１ａの室外側端部に連続する室外側壁１３１ｃと、見込壁１３１ａの見込方向でほぼ中央位置の内周面から内周方向に延設される中央壁１３１ｄと、見込壁１３１ａの室外側内周面から内周方向に延設される室外側引寄片１３１ｅを有している。
【００２１】
樹脂左竪枠１３２は、左竪枠本体１３１の見込壁１３１ａの室内側内周部分に配置されており、見込壁１３１ａの内周に配置される樹脂見込壁１３２ａと、樹脂見込壁１３２ａの室内側端から内周方向に延設される室内側壁１３２ｂと、室内側壁１３２ｂの内周端から室内側に延設されるアングル部１３２ｄを有している。
【００２２】
（右竪枠）
右竪枠１４は、アルミ合金等の金属材料からなり、建物開口部の内周に配置される右竪枠本体１４１と、樹脂材料からなり、右竪枠本体１４１の室内側内周面に配置される樹脂右竪枠１４２を有している。
【００２３】
右竪枠本体１４１は、建物開口部を覆う見込壁１４１ａと、見込壁１４１ａの室内側端部に連続する室内側壁１４１ｂと、見込壁１３１ａの室外側端部に連続する室外側壁１４１ｃと、見込壁１４１ａの見込方向でほぼ中央位置の内周面から内周方向に延設される中央壁１４１ｄと、見込壁１３１ａの室内側内周面から内周方向に延設される室内側引寄片１４１ｅを有している。
【００２４】
樹脂左竪枠１４２は、左竪枠本体１４１の見込壁１４１ａの室内側内周部分に配置されており、見込壁１４１ａの内周に配置される樹脂見込壁１４２ａと、樹脂見込壁１４２ａの室内側端から内周方向に延設される室内側壁１４２ｂと、室内側壁１４２ｂの内周端から室内側に延設されるアングル部１４２ｄを有している。
【００２５】
−内障子−
内障子２０は、図１，２に示すように、上框２１と、下框２２と、左竪框（召合框）２３と、右竪框（戸先框）２４を四周に組んで、内周に複層ガラス等のパネル体２５を配置して構成されている。
（上框）
上框２１は、アルミ合金等の金属材料からなり、内周にパネル体２５を保持するパネル間口２１ａを有し、外周に室内側上レール１１１ｄを案内する開口溝部２１ｂを有する断面略Ｈ型部材からなる。
上框２１は、パネル間口２１ａの底壁及び開口溝部２１ｂの底壁に、熱により発泡する熱膨張耐火材ｆ、ｆが配置されている。
【００２６】
開口溝部２１ｂは、室外側を構成する室外側壁の上方室内側に室内側上レール１１１ｄとの間を気密する気密材が配置されている。
パネル間口２１ａは、樹脂材料等からなるグレージングチャンネル２１９を介してパネル体２５を保持している。
【００２７】
（下框）
下框２２は、内周にパネル体２５を保持するパネル間口２２ａを有し、外周に戸車９が配置される開口溝部２２ｂを有する断面略Ｈ型部材からなる。
【００２８】
開口溝部２２ｂは、室外側を構成する室外側壁の下方室内側面に室内側下レール１２１ｄとの間を気密する気密材が配置されており、室内側を構成する室内側壁の下方室外側面に熱膨張耐火材ｆが配置されている。
パネル間口２２ａは、樹脂材料等からなるグレージングチャンネル２２９を介してパネル体２５を保持している。
【００２９】
（戸先框）
戸先框（右竪框）２４は、金属材料からなり矩形中空形状の戸先框本体２４ｃと、戸先框本体２４ｃの内周に連続するパネル体２５を保持するパネル間口２４ａと、戸先框本体２４ｃの外周に連続する溝部２４ｂを有している。
戸先框本体２４ｃの中空部内には、補強部材が配置されておらず、上方端及び下方端には、の小口を覆うように端部キャップが取り付けられている。
【００３０】
戸先框２４は、溝部２４ｂに引寄せブロック７が配置されており、内障子２０が閉鎖されることで右竪枠１４の室内側引寄片１４１ｅに当接して、内障子２０の戸先框２４は、室内側に引き寄せられる。
溝部２４ｂの室外側を構成する室外側壁の外周室内側に室内側引寄片１４１ｅとの間を気密する気密材が配置されており、溝部２４ｂの底壁には熱膨張耐火材ｆが配置されている。
パネル間口２４ａは、樹脂材料等からなるグレージングチャンネル２４９を介してパネル体２５を保持している。
【００３１】
（召合框）
召合框（左竪框）２３は、金属材料からなりパネル体２５の外周側及び室内側を覆う矩形中空形状の召合框本体２３ｃと、召合框本体２３ｃの室外側内周に形成されパネル体２５を保持するパネル間口２３ａを有している。
召合框本体２３ｃの中空部内には、必要に応じて補強部材が配置されており、外周面にクレセント錠６１が取り付けられている。
【００３２】
召合框２３は、召合框本体２３ｃの室外側面がパネル間口２３ａの室外側面よりも室外側に位置しており、召合框本体２３ｃの室外側面が内周方向に延設されてパネル間口２３ａの室外側に煙返し片が形成されている。
パネル間口２３ａは、樹脂材料等からなるグレージングチャンネル２３９を介してパネル体２５を保持している。
【００３３】
−外障子−
外障子３０は、図１，２に示すように、上框３１と、下框３２と、左竪框（召合框）３３と、右竪框（戸先框）３４を四周に組んで、内周に複層ガラス等のパネル体３５を配置して構成されており、内障子２０と同様の構成をしている。
外障子３０については、召合框３４についてのみ説明する。
【００３４】
（召合框）
召合框（左竪框）３４は、金属材料からなり矩形中空形状の召合框本体３４ｃと、召合框本体３４ｃの室外側内周に形成されパネル体３５を保持するパネル間口３４ａを有している。
召合框本体３４ｃの中空部内には、少なくとも中空部の室外側面と対向する面を有する補強部材が配置されており、室外側からの外力や火炎等に対する補強が施されている。
また、召合框本体３４ｃの中空部の室内側面にクレセント受け６２が取り付けられている。
【００３５】
召合框３４は、召合框本体３４ｃの室内側面外周側に内障子２０の召合框２３との間を気密する気密材が配置されているとともに、気密材の内周に煙返し片が形成されている。
パネル間口３４ａは、樹脂材料等からなるグレージングチャンネル３４９を介してパネル体３５を保持している。
【００３６】
以上、本実施形態の引違いサッシの全体の構成について説明したが、さらに、障子の竪框の構成について、内障子２０の戸先框２４を用いて説明する。
【００３７】
戸先框２４は、アルミの押出形材等によって形成されており、図３（ａ）に示すように、中空部を有する竪框本体２４ｃと、竪框本体２４ｃの内周に設けられるパネル間口２４ａと、竪框本体２４ｃの外周に設けられる溝部２４ｂを有している。
【００３８】
パネル間口２４ａは、室内側壁２４ｄと、室外側壁２４ｅと、底壁２４ｆを有しており、底壁２４ｆの室外側見込面に熱により発泡する加熱発泡材ｆ４１が長手方向に沿って配置されている。
溝部２４ｂは、室内側壁２４ｇと、室外側壁２４ｈと、底壁２４ｉを有しており、底壁２４ｉの見込面に熱により発泡する加熱発泡材ｆ４２が長手方向に沿って配置されている。
【００３９】
竪框本体２４ｃは、内周側見込壁及び外周側見込壁と、室内側見付壁２４ｊと、室外側見付壁２４ｋを有する断面矩形の中空部からなり、内周側見込壁はパネル間口２４ａの底壁２４ｆを兼用し、外周側見込壁は溝部２４ｂの底壁２４ｉを兼用している。
そして、竪框本体２４ｃは、断面矩形の中空部内に補強部材を配置しておらず、室外側見付壁２４ｋの上方部分の室内側面に、室外側見付壁２４ｋの全幅にわたって加熱発泡材ｆ４３が配置されている。
【００４０】
竪框２４は、図３（ｂ）、図４（ａ）に示すように、上端に樹脂製の端部キャップ８０が配置されている。なお、竪框２４は、下端にも樹脂製の端部キャップが配置されている。
端部キャップ８０は、竪框本体２４ｃの中空部内に挿入されて固定され、上レールを案内して内障子２０の上部の振れを防止する振れ止め部８１と、振れ止め部８１の戸先側に連続して溝部２４ｂ内に配置され、右竪枠１４の引寄片に当接して内障子２０を室内側に引き寄せる引寄部８２を有している。
【００４１】
端部キャップ８０の振れ止め部８１は、竪框本体２４ｃに挿入される部分の室内側面及び室外側面に見付方向で左右端部に嵌合リブ８１ａを有しており、左右の嵌合リブ８１ａ，８１ａの上端部分同士を連絡する上壁部８１ｃを有している。なお、端部キャップ８０の振れ止め部８１の室内側面には、場合によっては、左右の嵌合リブ等を設けなくてもよい。
嵌合リブ８１ａのうち、少なくとも室外側面の見付方向の左右端部に形成された嵌合リブ８１ａ，８１ａは、下方部分に室内方向に欠如する欠如部８１ｂ，８１ｂが形成されている。
【００４２】
そして、竪框本体２４ｃの中空部内に振れ止め部８１が挿入された端部キャップ８０は、中空部の上端開口を上壁部８１ｃによって覆うように固定される。
【００４３】
竪框本体２４ｃの中空部内に配置される加熱発泡材ｆ４３は、室外側見付壁２４ｋの見付寸法と同じ寸法を有する下方部分ｆ４３ａと、見付方向の両端部に逃げ部ｆ４３ｃ，ｆ４３ｃが形成された上方部分ｆ４３ｂを有する。
【００４４】
竪框２４に加熱発泡材ｆ４３を配置するに際しては、竪框本体２４ｃの上方開口から加熱発泡材ｆ４３を下方部分ｆ４３ａが下となるように挿入し、加熱発泡材ｆ４３を室外側見付壁２４ｋに両面テープ等の固定手段によって固定する。
その後、竪框本体２４ｃの上方開口から端部キャップ８０を挿入することで、竪框２４の上方部分を形成するが、端部キャップ８０の振れ止め部８１の室外側の嵌合リブ８１ａ，８１ａに欠如部８１ｂ，８１ｂが形成されていることによって、図４（ｂ）に示すように、嵌合リブ８１ａ，８１ａが室外側見付壁２４ｋに固定された加熱発泡材ｆ４３に干渉することがない。
【００４５】
竪框２４の中空部内に配置された加熱発泡材ｆ４３は、図４（ａ）（ｂ）に示すように、上方部分ｆ４３ｂが竪框２４の上端付近において端部キャップ８０の嵌合リブ８１ａ，８１ａ間に配置され、下方部分ｆ４３ａが竪框本体２４ｃの室外側見付壁２４ｋの全幅にわたって配置される。
【００４６】
そして、加熱発泡材ｆ４３は、下方部分ｆ４３ａの上端が、端部キャップ８０の振れ止め部８１に案内される上レールの下端よりも上方位置となるように配置されることによって、上レールの室外側面に対して、竪框２４の中空部の幅方向全長にわたって対向する。
また、図５に示すように、加熱発泡材ｆ４３は、下方部分のｆ４３ａの下端が、竪框本体２４ｃの上框２１を連結するためのタッピングビスｂ４１の挿通孔が存在する範囲まで配置されている。
【００４７】
以上のように、本実施形態のサッシは、竪框の上部位置における室外側壁（見付壁）の室内側面の見付け方向全幅にわたって加熱発泡材が配置されているので、火災時には、竪框の中空部の広い範囲に亘って空間を塞ぐことができる。
そして、竪框の上端に配置される端部キャップを挿入する嵌合リブに欠如部が形成されることで、竪框の室外側壁（見付壁）に設けられた加熱発泡材は、端部キャップの室外側面に対向する範囲まで見付方向の全幅にわたって配置することができ、火災時に発泡して、端部キャップに案内される上レールと竪框との間の隙間を竪框の全幅にわたって埋めることができる。
【００４８】
また、竪框の中空部の全幅にわたって配置される加熱発泡材は、下端位置が框組を行うためのタッピングビスの挿通孔に至る範囲にまで配置されており、火災時に発泡することで、竪框の中空部の内周壁及び外周壁に形成されたタッピングビスの挿通孔に行き渡るので、竪框の上部位置における室内外の連通を確実に抑制することができる。
【００４９】
また、竪框の見付壁全幅にわたって加熱発泡材が発泡し、中空部内に充満することで、火災時に竪框に対する熱の伝達を抑制し、熱による竪框の変形を抑えることができ、サッシの寸法等によっては補強部材を省略することができる。
【００５０】
なお、竪框の中空部内の上方部分に配置される加熱発泡材の下端位置は、タッピングビスの挿通孔の位置に限るものではない。
例えば、タッピングビスの挿通孔の下方近傍に空気導入孔等何らかの孔が形成されていれば、加熱発泡材を該孔の位置まで配置してもよい。
また、竪框の端部近傍に配置される加熱発泡材は、竪框の上方部分に限らず、竪框の下方部分に配置してもよい。
【００５１】
以上、本実施形態を引違い窓を用いて説明したが、例えば、上げ下げ窓やＦＩＸ窓など、サッシの構成は、何ら限定されるものではない。
なお、以上の実施形態は，請求項に記載された発明を限定するものではなく，例示として取り扱われることはいうまでもない。
【符号の説明】
【００５２】
１０      ：枠体
１１      ：上枠
１２      ：下枠
１３      ：左竪枠
１４      ：右竪枠
２０      ：内障子
２１      ：上框
２４      ：竪框
２４ｃ    ：竪框本体（中空部）
２４ｊ    ：室内側見付壁
２４ｋ    ：室外側見付壁
８０      ：端部キャップ
８１      ：振れ止め部
８１ａ    ：嵌合リブ
８１ｂ    ：欠如部
８１ｃ    ：上壁部
８２      ：引寄部
ｆ４３    ：加熱発泡材
ｆ４３ａ  ：下方部分
ｆ４３ｂ  ：上方部分
ｆ４３ｃ  ：逃げ部
【図１】
2020176386.tif 000003
【図２】
2020176386.tif 000004
【図３】
2020176386.tif 000005
【図４】
2020176386.tif 000006
【図５】
2020176386.tif 000007